(57)【要約】【課題】光源として白色ＬＥＤの備える主閃光装置と組み合わせて用いた場合に、白色ＬＥＤの閃光発光を正確に検知することができるスレーブ閃光装置を提供する。【解決手段】デジタルカメラ１００とスレーブ閃光装置２００とからなる撮像システム１０において、スレーブ閃光装置２００は、第１の波長の光と、第１の波長より長い第２の波長の光と、第１の波長より長く第２の波長より短い第３の波長の光とを検出する受光部２０５、スレーブ発光部２０１及び第２の制御部２０６を備える。第２の制御部２０６は、受光部２０５が、第１の波長の光を所定の強さ以上、且つ、第２の波長の光を所定の強さ以上、且つ、第３の波長の光を所定の強さ未満で受光したときに、受光部２０５はデジタルカメラ１００の主発光部１０３からの光信号を受信したと判定し、スレーブ発光部２０１を発光させる。【選択図】図４
2015031742.tif 000002
【特許請求の範囲】
【請求項１】
発光手段と、
主閃光装置の発光部からの光信号を受信する受光手段と、
前記発光手段の発光を制御する制御手段とを備えるスレーブ閃光装置であって、
前記受光手段は、第１の波長の光と、前記第１の波長より長い第２の波長の光と、前記第１の波長より長く前記第２の波長より短い第３の波長の光を検出する検出手段を有し、
前記制御手段は、前記受光手段が、第１の波長の光を所定の強さ以上、且つ、前記第２の波長の光を所定の強さ以上、且つ、前記第３の波長の光を所定の強さ未満で受光したときに、前記主閃光装置の発光部からの光信号を前記受光手段が受信したと判定し、前記発光手段を発光させることを特徴とするスレーブ閃光装置。
【請求項２】
前記受光手段は、
前記第１の波長の光を受光し、受光光量に応じた信号を出力する第１のセンサと、
前記第２の波長の光を受光し、受光光量に応じた信号を出力する第２のセンサと、
前記第３の波長の光を受光し、受光光量に応じた信号を出力する第３のセンサとを有し、
前記制御手段は、前記第１のセンサからの出力が所定の閾値以上、且つ、前記第２のセンサからの出力が前記所定の閾値以上、且つ、前記第３のセンサからの出力が前記所定の閾値未満であるときに、前記受光手段は前記主閃光装置の発光部からの光信号を受信したと判定することを特徴とする請求項１記載のスレーブ閃光装置。
【請求項３】
発光手段と、
主閃光装置の発光部からの光信号を受信する受光手段と、
前記発光手段の発光を制御する制御手段とを備えるスレーブ閃光装置であって、
前記受光手段は、第１の波長の光と、前記第１の波長より長い第２の波長の光と、前記第１の波長より長く前記第２の波長より短い第３の波長の光と、前記第２の波長より長い第４の波長の光を検出する検出手段を有し、
前記制御手段は、前記受光手段が、前記第４の波長の光を所定の強さ以上で受光したときに、又は、前記第１の波長の光を所定の強さ以上、且つ、前記第２の波長の光を所定の強さ以上、且つ、前記第３の波長の光を所定の強さ未満、且つ、前記第４の波長の光を所定の強さ未満で受光したときに、前記主閃光装置の発光部からの光信号を前記受光手段が受信したと判定し、前記発光手段を発光させることを特徴とするスレーブ閃光装置。
【請求項４】
前記受光手段は、
前記第１の波長の光を受光し、受光光量に応じた信号を出力する第１のセンサと、
前記第２の波長の光を受光し、受光光量に応じた信号を出力する第２のセンサと、
前記第３の波長の光を受光し、受光光量に応じた信号を出力する第３のセンサと、
前記第４の波長の光を受光し、受光光量に応じた信号を出力する第４のセンサとを有し、
前記制御手段は、前記第４のセンサからの出力が所定の閾値以上の場合に、又は、前記第１のセンサからの出力が前記所定の閾値以上、且つ、前記第２のセンサからの出力が前記所定の閾値以上、且つ、前記第３のセンサからの出力が前記所定の閾値未満、且つ、前記第４のセンサからの出力が前記所定の閾値以上の場合に、前記主閃光装置の発光部からの光信号を前記受光手段が受信したと判定することを特徴とする請求項３記載のスレーブ閃光装置。
【請求項５】
前記第４の波長は赤外域にあることを特徴とする請求項３又は４に記載のスレーブ閃光装置。
【請求項６】
前記第１の波長、前記第２の波長及び前記第３の波長はそれぞれ可視光域にあることを特徴とする請求項１乃至５のいずれか１項に記載のスレーブ閃光装置。
【請求項７】
撮像装置とスレーブ閃光装置とからなる撮像システムであって、
前記撮像装置は、白色ＬＥＤを光源とする主発光部を有し、
前記スレーブ閃光装置は、スレーブ発光部と、前記主発光部からの光信号を受信する受光手段と、前記スレーブ発光部の発光を制御する制御手段とを備え、
前記受光手段は、第１の波長の光と、前記第１の波長より長い第２の波長の光と、前記第１の波長より長く前記第２の波長より短い第３の波長の光を検出する検出手段を有し、
前記制御手段は、前記受光手段が、第１の波長の光を所定の強さ以上、且つ、前記第２の波長の光を所定の強さ以上、且つ、前記第３の波長の光を所定の強さ未満で受光したときに、前記主発光部からの光信号を前記受光手段が受信したと判定し、前記スレーブ発光部を発光させることを特徴とするスレーブ閃光装置。
【請求項８】
撮像装置とスレーブ閃光装置とからなる撮像システムであって、
前記撮像装置は、白色ＬＥＤ又はキセノン管を光源とする主発光部を有し、
前記スレーブ閃光装置は、スレーブ発光部と、前記主発光部からの光信号を受信する受光手段と、前記スレーブ発光部の発光を制御する制御手段とを備え、
前記受光手段は、第１の波長の光と、前記第１の波長より長い第２の波長の光と、前記第１の波長より長く前記第２の波長より短い第３の波長の光と、前記第２の波長より長い第４の波長の光を検出する検出手段を有し、
前記制御手段は、前記受光手段が、前記第４の波長の光を所定の強さ以上で受光したときに、前記主発光部がキセノン管を光源としており、該キセノン管の発光による光信号を前記受光手段が受信したと判定し、前記第１の波長の光を所定の強さ以上、且つ、前記第２の波長の光を所定の強さ以上、且つ、前記第３の波長の光を所定の強さ未満、且つ、前記第４の波長の光を所定の強さ未満で受光したときに、前記主発光部が白色ＬＥＤを光源としており、該白色ＬＥＤの発光による光信号を前記受光手段が受信したと判定し、前記スレーブ発光部を発光させることを特徴とするスレーブ閃光装置。
【発明の詳細な説明】
【技術分野】
【０００１】
本発明は、スレーブ閃光装置及び撮像システムに関し、特に、光源として白色ＬＥＤが用いられている主閃光装置と組み合わせて用いられるスレーブ閃光装置の発光制御に関する。
【背景技術】
【０００２】
近年、小型で消費電力が小さい照明として白色ＬＥＤが普及しており、デジタルカメラ等の撮像装置においても、小型化や低消費電力化のために、閃光装置（ストロボ）の光源として白色ＬＥＤを用いることが検討されている。
【０００３】
一方、撮像装置から離れた位置に配置され、撮像装置本体に設けられた主閃光装置からの光信号を受光部で受信し、これに応答して発光するスレーブ閃光装置が知られている（例えば、特許文献１参照）。このようなスレーブ閃光装置を用い、被写体に対して撮像装置本体から見て正面からだけではなく、別の角度から被写体へ光を当てることにより、例えば、被写体表現のバリエーションを広げ、創作性を高めることができる。
【０００４】
スレーブ閃光装置としては、受光部に可視光カットフィルタを設け、可視光による閃光発光を検知しない構成としたものが知られている。これは、主閃光装置の光源としてキセノン管が用いられており、キセノン管が赤外光を発光することによる。つまり、スレーブ閃光装置は、キセノン管の発光による赤外光を検知して発光する。これにより、予期しない誤発光を防止すると共に、主閃光装置の閃光発光に確実に反応することができる。
【先行技術文献】
【特許文献】
【０００５】
【特許文献１】特許第４６３０６７９号公報
【発明の概要】
【発明が解決しようとする課題】
【０００６】
しかしながら、一般的に白色ＬＥＤの発光波長は可視光域に分布するため、主閃光装置の光源が白色ＬＥＤである場合に受光部に可視光カットフィルタを設けた構成としてしまうと、受光部は白色ＬＥＤの閃光発光を検知することができない。
【０００７】
本発明は、光源として白色ＬＥＤを備える主閃光装置と組み合わせて用いた場合に、主閃光装置の白色ＬＥＤの閃光発光を正確に検知することができるスレーブ閃光装置を提供することを目的とする。
【課題を解決するための手段】
【０００８】
本発明に係るスレーブ閃光装置は、発光手段と、主閃光装置の発光部からの光信号を受信する受光手段と、前記発光手段の発光を制御する制御手段とを備えるスレーブ閃光装置であって、前記受光手段は、第１の波長の光と、前記第１の波長より長い第２の波長の光と、前記第１の波長より長く前記第２の波長より短い第３の波長の光を検出する検出手段を有し、前記制御手段は、前記受光手段が、第１の波長の光を所定の強さ以上、且つ、前記第２の波長の光を所定の強さ以上、且つ、前記第３の波長の光を所定の強さ未満で受光したときに、前記受光手段は前記主閃光装置の発光部からの光信号を受信したと判定し、前記発光手段を発光させることを特徴とする。
【発明の効果】
【０００９】
本発明によれば、スレーブ閃光装置は、主閃光装置が備える白色ＬＥＤの波長分布を考慮して、受光した光が主閃光装置の白色ＬＥＤの閃光発光によるものか否かを判定する。これにより、スレーブ閃光装置は、光源として白色ＬＥＤが用いられている主閃光装置との組み合わせで用いた場合でも、主閃光装置の白色ＬＥＤの閃光発光を正確に検知して発光することができる。
【図面の簡単な説明】
【００１０】
【図１】本発明の第１実施形態に係る撮像システムの構成を示す斜視図である。
【図２】図１に示すデジタルカメラとスレーブ閃光装置のそれぞれの構成を示すブロック図である。
【図３】図１に示すデジタルカメラが備える主発光部である白色ＬＥＤの分光特性（発光波長分布）示す図である。
【図４】図１に示すスレーブ閃光装置における発光制御処理のフローチャートである。
【図５】本発明の第２実施形態に係る撮像システムが備えるスレーブ閃光装置の構成を示すブロック図である。
【図６】図５に示すスレーブ閃光装置における発光制御処理のフローチャートである。
【図７】本発明の第３実施形態での、デジタルカメラの主発光部が備える白色ＬＥＤの分光特性に対する閾値の設定方法を模式的示す図である。
【図８】本発明の第３実施形態に係るスレーブ閃光装置における発光制御処理のフローチャートである。
【発明を実施するための形態】
【００１１】
以下、本発明の実施の形態について、添付図面を参照して説明する。ここでは、撮像装置の例として、所謂、コンパクトタイプのデジタルカメラを取り上げ、このデジタルカメラとスレーブ閃光装置とからなる撮像システム（カメラシステム）を取り上げることとする。この場合、デジタルカメラが備えるストロボ（主発光部）が主閃光装置である。但し、本発明はこれに限定されるものではなく、デジタルカメラは、一眼レフカメラであってもよく、この場合の主閃光装置は、内蔵ストロボであってもよいし、外部ストロボ装置であってもよい。
【００１２】
＜第１実施形態＞
図１は、本発明の第１実施形態に係る撮像システム１０の構成を示す斜視図である。撮像システム１０は、デジタルカメラ１００と、スレーブ閃光装置２００とにより構成される。撮像システム１０において、デジタルカメラ１００とスレーブ閃光装置２００とは、有線による接続は行われず、互いに離れた位置に配置されるものとする。図２（ａ）は、デジタルカメラ１００の構成を示すブロック図であり、図２（ｂ）は、スレーブ閃光装置２００の構成を示すブロック図である。
【００１３】
デジタルカメラ１００は、撮像レンズ１０１、撮像素子１０２、主発光部１０３、第１の電源部１０４、第１の蓄電部１０５、第１の充電回路１０６及び第１の制御部１０７を備える。
【００１４】
撮像レンズ１０１は、ズームレンズ群やフォーカースレンズ群を含み、被写体からの反射光（撮影光束）を撮像素子１０２の受光面に結像させる。撮像素子１０２は、ＣＣＤセンサ或いはＣＭＯＳセンサ等の光電変換素子であり、撮像レンズ１０１を通過して受光面に結像した光を電気信号に変換する。主発光部１０３は、被写体への光の照射を行うと共に、主閃光装置としてスレーブ閃光装置２００を制御するための光信号を出力するストロボ装置である。第１実施形態では、主発光部１０３は、光源として白色ＬＥＤを有するものとする。図３は、主発光部１０３の白色ＬＥＤの分光特性（発光波長分布）示す図であり、この白色ＬＥＤは、可視光域において、４５０ｎｍの波長の近傍と５５０ｎｍの波長の近傍でピーク（山）となり、４８０ｎｍの波長の近傍でボトム（谷）となる分光特性を有する。
【００１５】
第１の電源部１０４は、例えば、デジタルカメラ１００に着脱可能な電池パックとＤＣ−ＤＣコンバータで構成され、デジタルカメラ１００の各構成要素に電力を供給する。第１の蓄電部１０５は、主発光部１０３を発光させるための電力を蓄積する。第１の充電回路１０６は、電源部１０４から供給された電圧を昇圧して、第１の蓄電部１０５に対する充電を行う。第１の制御部１０７は、ＣＰＵやＲＯＭ、ＲＡＭ等を含むマイクロコンピュータであり、デジタルカメラ１００の全体的な動作制御を行う。第１の制御部１０７は、スレーブ閃光装置２００を制御するための、例えば発光指示等の光信号を出力するように、主発光部１０３の発光を制御する。
【００１６】
スレーブ閃光装置２００は、スレーブ発光部２０１、第２の電源部２０２、第２の蓄電部２０３、第２の充電回路２０４、受光部２０５及び第２の制御部２０６を備える。スレーブ発光部２０１は、被写体への光の照射を行う。第２の電源部２０２は、例えば、スレーブ閃光装置２００に着脱可能な電池パックとＤＣ−ＤＣコンバータで構成され、スレーブ閃光装置２００の各構成要素に電力を供給する。第２の蓄電部２０３は、スレーブ発光部２０１を発光させるための電力を蓄積する。第２の充電回路２０４は、第２の電源部２０２から供給された電圧を昇圧して、第２の蓄電部２０３に対する充電を行う。第２の制御部２０６は、ＣＰＵやＲＯＭ、ＲＡＭ等を含むマイクロコンピュータであり、スレーブ閃光装置２００の全体的な動作制御を行う。
【００１７】
受光部２０５は、フォトダイオードと光学フィルタとを組み合わせた第１のセンサ２０５ａ、第２のセンサ２０５ｂ及び第３のセンサ２０５ｃを有し、受光光量に応じた信号を第２の制御部２０６へ出力する。第１実施形態では、第１のセンサ２０５ａは、フォトダイオードと、４５０ｎｍ（第１の波長）近傍波長の光を透過するバンドパスフィルタとを組み合わせて構成される。第２のセンサ２０５ｂは、フォトダイオードと、５５０ｎｍ（第２の波長）近傍波長の光を透過するバンドパスフィルタとを組み合わせて構成される。第３のセンサ２０５ｃは、フォトダイオードと４８０ｎｍ（第３の波長）近傍波長の光を透過するバンドパスフィルタとを組み合わせて構成される。これらの波長はそれぞれ、デジタルカメラ１００の主発光部１０３を構成する白色ＬＥＤが発光する光の波長分布（図３参照）の、先述のピークとボトムの波長に対応する。
【００１８】
撮像システム１０では、デジタルカメラ１００の主発光部１０３を閃光発光させたときの光を受光部２０５が受信し、受光部２０５の第１のセンサ２０５ａ〜２０５ｃからの出力に応じて、第２の制御部２０６が、スレーブ閃光装置２００のスレーブ発光部２０１の発光を制御する。
【００１９】
次に、スレーブ閃光装置２００のスレーブ発光部２０１を発光させるか否かの判定処理について、図４のフローチャートを参照して説明する。図４は、スレーブ閃光装置２００における発光制御処理のフローチャートであり、図４に示される判定処理は、第２の制御部２０６により実行される。
【００２０】
スレーブ閃光装置２００の主電源スイッチ（図１及び図２に不図示）がオンされると、ステップＳ４０１において、第２の制御部２０６は、スレーブ閃光装置２００を受光待機状態とする。なお、ステップＳ４０１では、第２の制御部２０６は、スレーブ発光部２０１を発光準備状態、つまり、発光指示があった場合に即座に発光を行うことができる状態で待機させる。ステップＳ４０２において、受光部２０５による受光により第１のセンサ２０５ａ〜第３のセンサ２０５ｃのそれぞれから信号が出力されると、第２の制御部２０６は、ステップＳ４０３〜Ｓ４０５の判定を行う。なお、ステップＳ４０３〜Ｓ４０５の処理は、以下の順序に限定されず、順序が入れ替わってもよい。
【００２１】
ステップＳ４０３において、第２の制御部２０６は、第１のセンサ２０５ａの出力が所定の閾値以上であるか否かを判定する。つまり、第１のセンサ２０５ａが、所定の強さ以上の４５０ｎｍ（第１の波長）近傍波長の光を受光したか否かを判定する。第１のセンサ２０５ａの出力が所定の閾値未満である場合（Ｓ４０３でＮＯ）、第２の制御部２０６は、受光部２０５が受光した光は主発光部１０３の発光によるものではないと判定し、処理をステップＳ４０１へ戻す。第１のセンサ２０５ａの出力が所定の閾値以上である場合（Ｓ４０３でＹＥＳ）、第２の制御部２０６は、処理をステップＳ４０４へ進める。
【００２２】
ステップＳ４０４において、第２の制御部２０６は、第２のセンサ２０５ｂの出力が所定の閾値（ステップＳ４０３の判定で用いた所定の閾値と同じ）以上であるか否かを判定する。つまり、第２のセンサ２０５ｂが、所定の強さ以上の５５０ｎｍ（第２の波長）近傍波長の光を受光したか否かを判定する。第２のセンサ２０５ｂの出力が所定の閾値未満である場合（Ｓ４０４でＮＯ）、第２の制御部２０６は、受光部２０５が受光した光は主発光部１０３の発光によるものではないと判定して、処理をステップＳ４０１へ戻す。第２のセンサ２０５ｂの出力が所定の閾値以上である場合（Ｓ４０４でＹＥＳ）、第２の制御部２０６は、処理をステップＳ４０５へ進める。
【００２３】
ステップＳ４０５において、第２の制御部２０６は、第３のセンサ２０５ｃの出力が所定の閾値（ステップＳ４０３の判定で用いた所定の閾値と同じ）以上であるか否かを判定する。つまり、第３のセンサ２０５ｃが、所定の強さ以上の４８０ｎｍ（第３の波長）近傍波長の光を受光したか否かを判定する。第３のセンサ２０５ｃの出力が所定の閾値以上である場合（Ｓ４０５でＹＥＳ）、第２の制御部２０６は、受光部２０５が受光した光は主発光部１０３の発光によるものではないと判定して、処理をステップＳ４０１へ戻す。第３のセンサ２０５ｃの出力が所定の閾値未満である場合（Ｓ４０５でＮＯ）、第２の制御部２０６は、処理をステップＳ４０６へ進める。
【００２４】
ステップＳ４０６において、第２の制御部２０６は、ステップＳ４０２での受光部２０５の受光は、デジタルカメラ１００の主発光部１０３の発光による起因すると判断し、本処理を終了する。なお、ステップＳ４０６の判断がなされると、第２の制御部２０６は、スレーブ発光部２０１の発光動作を行う。また、ステップＳ４０３〜Ｓ４０５で用いられる所定の閾値は、主発光部１０３が発した光を受光部２０５が受光したときに、４５０ｎｍ近傍波長と５５０ｎｍ近傍波長の光を検出するが、４８０ｎｍ近傍波長の光を検出しないレベルに設定される。
【００２５】
以上の説明の通り、第１の実施形態では、スレーブ閃光装置２００の第２の制御部２０６は、デジタルカメラ１００の主発光部１０３の白色ＬＥＤの分光特性を考慮して、受光部２０５が受光した光が主発光部１０３の発光によるものか否かを判定する。これにより、主発光部１０３の発光を正確に検知して、スレーブ発光部２０１を発光させることができ、スレーブ発光部２０１の誤動作を防止することができる。
【００２６】
＜第２実施形態＞
図５は、第２実施形態に係る撮像システムが備えるスレーブ閃光装置５００の構成を示すブロック図である。なお、第２実施形態に係る撮像システムは、図１に示すデジタルカメラ１００と、スレーブ閃光装置５００とにより構成される。但し、第２実施形態では、デジタルカメラ１００の主発光部１０３は、光源としてキセノン管又は図３に示した分光特性を有する白色ＬＥＤを有しており、この点で第１実施形態と相違するものとし、その他の構成要素は同じであるとして、その説明を省略する。
【００２７】
スレーブ閃光装置５００は、スレーブ発光部５０１、第２の電源部５０２、第２の蓄電部５０３、第２の充電回路５０４、受光部５０５及び第２の制御部５０６を備える。スレーブ発光部５０１、第２の電源部５０２、第２の蓄電部５０３、第２の充電回路５０４及び第２の制御部５０６はそれぞれ、第１実施形態で説明したスレーブ発光部２０１、第２の電源部２０２、第２の蓄電部２０３、第２の充電回路２０４及び第２の制御部２０６と同等である。よって、これらについての説明は省略する。
【００２８】
受光部５０５は、受光光量に応じた信号を第２の制御部５０６へ出力する第１のセンサ５０５ａ、第２のセンサ５０５ｂ、第３のセンサ５０５ｃ、第４のセンサ５０５ｄを有する。第１のセンサ５０５ａは、フォトダイオードと、４５０ｎｍ近傍波長の光を透過するバンドパスフィルタとを組み合わせて構成される。第２のセンサ５０５ｂは、フォトダイオードと、５５０ｎｍ近傍波長の光を透過するバンドパスフィルタとを組み合わせて構成される。第３のセンサ５０５ｃは、フォトダイオードと４８０ｎｍ近傍波長の光を透過するバンドパスフィルタとを組み合わせて構成される。第４のセンサ５０５ｄは、フォトダイオードと赤外域の光（第４の波長の光）を透過する可視光カットフィルタを組み合わせて構成される。
【００２９】
次に、スレーブ閃光装置５００のスレーブ発光部５０１を発光させるか否かの判定処理について、図６のフローチャートを参照して説明する。図６は、スレーブ閃光装置５００における発光制御処理のフローチャートであり、図６に示される判定処理は、第２の制御部５０６により実行される。
【００３０】
スレーブ閃光装置２００の主電源スイッチ（図１及び図５に不図示）がオンされると、ステップＳ６０１において、第２の制御部５０６は、スレーブ閃光装置５００を受光待機状態とする。なお、ステップＳ６０１では、第２の制御部５０６は、スレーブ発光部５０１を発光準備状態とする。ステップＳ６０２において、受光部５０５による受光により第１のセンサ５０５ａ〜第４のセンサ５０５ｄのそれぞれから信号が出力されると、第２の制御部５０６は、ステップＳ６０３〜Ｓ６０６の判定を行う。なお、ステップＳ６０４〜Ｓ６０６の処理は、以下の順序に限定されず、順序は入れ替わってもよい。
【００３１】
ステップＳ６０３において、第２の制御部５０６は、第４のセンサ５０５ｄの出力が所定の閾値以上であるか否かを判定する。つまり、第４のセンサ５０５ａが、所定の強さ以上の赤外光を受光したか否かを判定する。なお、所定の閾値は、第１実施形態で設定した所定の閾値と同じであるが、ここでは、キセノン管の発光による赤外光を検知することができるレベルであることも要求される。
【００３２】
第４のセンサ５０５ｄの出力が所定の閾値以上である場合（Ｓ６０３でＹＥＳ）、第２の制御部５０６は、処理をステップＳ６０８へ進める。ステップＳ６０８において、第２の制御部５０６は、ステップＳ６０２での受光部２０５の受光は、デジタルカメラ１００の主発光部１０３が光源として有しているキセノン管の発光に起因すると判断し、本処理を終了させる。第４のセンサ２０５ｄの出力が所定の閾値未満である場合（Ｓ６０３でＮＯ）、第２の制御部５０６は、処理をステップＳ６０４へ進める。
【００３３】
ステップＳ６０４〜６０７の処理の内容は、第１実施形態において図４を参照して説明したステップＳ４０３〜４０６の処理の内容と同じであるので、ここでの説明を省略する。なお、ステップＳ６０７又はステップＳ６０８の判断がなされると、第２の制御部５０６は、スレーブ発光部５０１の発光動作を行う。
【００３４】
以上の説明の通り、第２実施形態では、スレーブ閃光装置５００の第２の制御部５０６は、デジタルカメラ１００の主発光部１０３が光源としてキセノン管を有する場合と白色ＬＥＤを有する場合の両方において、主発光部１０３の発光を検知することができる。また、主発光部１０３の光源が白色ＬＥＤである場合に、その白色ＬＥＤの分光特性を考慮して、白色ＬＥＤの発光を正確に検知することができる。よって、主発光部１０３がキセノン管であるか白色ＬＥＤであるかに関わらず、その発光を正確に検知して、スレーブ発光部５０１を発光させ、また、スレーブ発光部５０１の誤動作を防止することができる。
【００３５】
＜第３実施形態＞
本発明の第３実施形態に係る撮像システムの構成は、第２実施形態に係る撮像システムの構成と同じである。第３実施形態では、第２実施形態と比較して、スレーブ閃光装置５００の受光部５０５が光を受光したときの第１のセンサ５０５ａ〜第３のセンサ５０５ｃからの出力に対する第２の制御部５０６の判定方法が異なる。この点について、以下に説明する。
【００３６】
図７は、デジタルカメラ１００の主発光部１０３が光源として備える白色ＬＥＤの分光特性に対する、第３実施形態での閾値の設定方法を模式的示す図である。なお、図７に示す分光特性は、図３に示した分光特性と同じである。第３実施形態では、波長４５０ｎｍと波長５５０ｎｍのピーク（山）に対して第１の閾値を設定する。第１の閾値は、主発光部１０３が白色ＬＥＤであり、この白色ＬＥＤが発光したときに、４５０ｎｍ近傍波長の光を検出するが５５０ｎｍ近傍波長の光を検出しないレベルに設定される。また、波長５５０ｎｍのピーク（山）と波長４８０ｎｍのボトム（谷）に対して第２の閾値を設定する。第２の閾値は、主発光部１０３が白色ＬＥＤであり、この白色ＬＥＤが発光したときに、５５０ｎｍ近傍波長の光を検出するが、４８０ｎｍ近傍波長の光を検出しないレベルに設定される。
【００３７】
次に、スレーブ閃光装置５００のスレーブ発光部５０１を発光させるか否かの判定処理について、図８のフローチャートを参照して説明する。図８は、スレーブ閃光装置５００における発光制御処理のフローチャートであり、図８に示される判定処理は、第２の制御部５０６により実行される。
【００３８】
ステップＳ８０１，Ｓ８０２，Ｓ８０３，Ｓ８０８の処理の内容は、上述の第２実施形態において図６を参照して説明したステップＳ６０１，Ｓ６０２，Ｓ６０３，Ｓ６０８と同じであるので、これらについては説明を省略する。
【００３９】
ステップＳ８０４において、第２の制御部５０６は、第１のセンサ５０５ａの出力が第１の閾値以上であるか否かを判定する。第１のセンサ５０５ａの出力が第１の閾値未満である場合（Ｓ８０４でＮＯ）、第２の制御部５０６は、ステップＳ８０２で受光部５０５が受光した光は主発光部１０３（白色ＬＥＤ）の発光によるものではないと判定して、処理をステップＳ８０１へ戻す。第１のセンサ５０５ａの出力が第１の閾値以上である場合（Ｓ８０４でＹＥＳ）、第２の制御部５０６は、処理をステップＳ８０５へ進める。
【００４０】
ステップＳ８０５において、第２の制御部５０６は、第２のセンサ５０５ｂの出力が第１の閾値未満、且つ、第２の閾値以上であるか否かを判定する。第２のセンサ５０５ｂの出力が第１の閾値未満、且つ、第２の閾値以上ではない場合（Ｓ８０５でＮＯ）、第２の制御部５０６は、ステップＳ８０２で受光部５０５が受光した光は主発光部１０３（白色ＬＥＤ）の発光によるものではないと判定して、処理をステップＳ８０１へ戻す。第２のセンサ５０５ｂの出力が第１の閾値未満、且つ、第２の閾値以上である場合（Ｓ８０５でＹＥＳ）、第２の制御部５０６は、処理をステップＳ８０６へ進める。
【００４１】
ステップＳ８０６において、第２の制御部５０６は、第３のセンサ５０５ｃの出力が第２の閾値以上であるか否かを判定する。第３のセンサ５０５ｃの出力が第２の閾値以上である場合（Ｓ８０６でＹＥＳ）、第２の制御部５０６は、ステップＳ８０２で受光部５０５が受光した光は主発光部１０３（白色ＬＥＤ）の発光によるものではないと判定して、処理をステップＳ８０１へ戻す。第３のセンサ５０５ｃの出力が第２の閾値未満である場合（Ｓ８０６でＮＯ）、第２の制御部５０６は、処理をステップＳ８０７へ進める。ステップＳ８０７の処理は、上述の第２実施形態において図６を参照して説明したステップＳ６０７の処理と同じであるので、その説明を省略する。なお、ステップＳ６０４〜Ｓ６０６の処理は、上記の順序に限定されず、処理の順序は入れ替わってもよい。
【００４２】
以上の説明の通り、第３実施形態では、スレーブ閃光装置５００の第２の制御部５０６は、デジタルカメラ１００の主発光部１０３が有する白色ＬＥＤの分光特性を考慮して、受光部５０５が受光した光の性質を判定する。これにより、主発光部１０３の発光を正確に検知して、スレーブ発光部５０１を発光させることができ、スレーブ発光部５０１の誤動作を防止することができる。
【００４３】
＜その他の実施形態＞
以上、本発明をその好適な実施形態に基づいて詳述してきたが、本発明はこれら特定の実施形態に限られるものではなく、この発明の要旨を逸脱しない範囲の様々な形態も本発明に含まれる。例えば、上記の実施形態では、撮像装置としてコンパクトタイプのデジタルカメラを取り上げたが、これに限定されるものではなく、一眼レフデジタルカメラやフィルムカメラ等の他の撮像装置であってもよい。また、撮像システムは、撮像装置に限定されずに、撮像機能と主閃光装置を備える電子機器（例えば、携帯電話、スマートフォン、タブレットＰＣ、携帯ゲーム機等）と、スレーブ閃光装置との組み合わせにより構成されていてもよい。
【符号の説明】
【００４４】
１００    撮像装置
１０３    発光部（ストロボ）
１０７    第１の制御部
２００，５００    スレーブ閃光装置
２０５，５０５    受光部
２０５ａ〜２０５ｃ    第１のセンサ〜第３のセンサ
２０６    第２の制御部
５０５ａ〜５０５ｄ  第１のセンサ〜第４のセンサ
【図１】
2015031742.tif 000003
【図２】
2015031742.tif 000004
【図３】
2015031742.tif 000005
【図４】
2015031742.tif 000006
【図５】
2015031742.tif 000007
【図６】
2015031742.tif 000008
【図７】
2015031742.tif 000009
【図８】
2015031742.tif 000010